(57)【要約】【課題】通行距離に対応した通行料金の収受を自動的に行う料金自動収受装置を提供すること。【解決手段】有料道路における通行料金の収受を自動的に行う料金自動収受装置であり、通行券の読み取りを行い、通行距離に対応した通行料金の収受を実行する手段を備えている。【選択図】　　図２
2004005151.tif 000002
【特許請求の範囲】
【請求項１】
有料道路における通行料金の収受を自動的に行う料金自動収受装置であり、
通行券の読み取りを行い、通行距離に対応した通行料金の収受を実行する手段を備えたことを特徴とする料金自動収受装置。
【請求項２】
有料道路の路側に設置され、通行車両の運転者が通行料金の収受を直接行う料金自動収受装置であり、
上段と下段に設けられた複数の操作部と、
車両の車種判別後、該車両の運転席の高さに合う上下いずれかの前記操作部を作動させる作動切替え手段と、
通行券の読み取りを行い、通行距離に対応した通行料金の収受を実行する手段と、
を備えたことを特徴とする料金自動収受装置。
【請求項３】
前記通行料金の収受に係る金額及び案内を表示する液晶表示器を備えたことを特徴とする請求項１または２に記載の料金自動収受装置。
【請求項４】
前面に、下部を支点として前方へ回動して開く一括投入式の硬貨投入口を備えたことを特徴とする請求項１乃至３のいずれかに記載の料金自動収受装置。
【請求項５】
前面に、遠隔操作可能な錠機構を有する証明書挿入口を備えたことを特徴とする請求項１乃至４のいずれかに記載の料金自動収受装置。
【請求項６】
偽貨を偽貨返却口まで搬送する搬送機構を備えたことを特徴とする請求項１乃至５のいずれかに記載の料金自動収受装置。
【発明の詳細な説明】
【０００１】
【発明の属する技術分野】
本発明は、有料道路出口の料金所内に設置される料金自動収受装置に関する。
【０００２】
【従来の技術】
従来、高速道路等の有料道路では、自動車に乗った利用者が入口の料金所にて通行券を受け取り、該道路を走行し、出口の料金所にて該通行券を収受員に手渡す。そして収受員により、該有料道路において利用者が通行した区間すなわち通行距離に応じた料金の収受が行われる。
【０００３】
また、通行距離に関わらず通行料金が均一な有料道路では、料金の自動収受を行う料金自動収受装置が用いられている。この料金自動収受装置は、有料道路の途中等に設けられた料金所に設置され、利用者により投入される料金の収受処理を自動的に行う。
【０００４】
【発明が解決しようとする課題】
上述した料金自動収受装置は、均一料金の収受を行うものであり、車種等により異なる料金には対応できるものの、高速道路等での通行区間すなわち通行距離に対応した料金の収受を行うことはできない。
【０００５】
本発明の目的は、通行距離に対応した通行料金の収受を自動的に行う料金自動収受装置を提供することにある。
【０００６】
【課題を解決するための手段】
課題を解決し目的を達成するために、本発明の料金自動収受装置は以下の如く構成されている。
【０００７】
（１）本発明の料金自動収受装置は、有料道路における通行料金の収受を自動的に行う料金自動収受装置であり、通行券の読み取りを行い、通行距離に対応した通行料金の収受を実行する手段を備えている。
【０００８】
（２）本発明の料金自動収受装置は、有料道路の路側に設置され、通行車両の運転者が通行料金の収受を直接行う料金自動収受装置であり、上段と下段に設けられた複数の操作部と、車両の車種判別後、該車両の運転席の高さに合う上下いずれかの前記操作部を作動させる作動切替え手段と、通行券の読み取りを行い、通行距離に対応した通行料金の収受を実行する手段と、を備えている。
【０００９】
（３）本発明の料金自動収受装置は上記（１）または（２）に記載の装置であり、かつ前記通行料金の収受に係る金額及び案内を表示する液晶表示器を備えている。
【００１０】
（４）本発明の料金自動収受装置は上記（１）乃至（３）のいずれかに記載の装置であり、かつ前面に、下部を支点として前方へ回動して開く一括投入式の硬貨投入口を備えている。
【００１１】
（５）本発明の料金自動収受装置は上記（１）乃至（４）のいずれかに記載の装置であり、かつ前面に、遠隔操作可能な錠機構を有する証明書挿入口を備えている。
【００１２】
（６）本発明の料金自動収受装置は上記（１）乃至（５）のいずれかに記載の装置であり、かつ偽貨を偽貨返却口まで搬送する搬送機構を備えている。
【００１３】
【発明の実施の形態】
以下、本発明の実施の形態を図面を参照して説明する。
【００１４】
図１は、本発明の実施の形態に係る料金自動収受装置の構成を示す正面図である。この料金自動収受装置は対距離料金収受システムに用いられ、有料道路出口の料金所内の車線アイランド上（出口車線の路側）に設置される。この料金自動収受装置では、利用者が該有料道路において自動車で通行した区間すなわち通行距離に応じて、料金の収受を直接行う。
【００１５】
図１に示す料金自動収受装置１の筐体の前面には、上段と下段にそれぞれ操作部１００，１００が備えられている。また、筐体前面の上部に音声案内スピーカ１０１が、下部に偽貨返却口１０２が設けられている。
【００１６】
図２は、料金自動収受装置１の構成を示すブロック図である。図２において図１と同一な部分には同符号を付してある。料金自動収受装置１内では、制御部２に、前面パネルユニット３、操作パネル４、硬貨払出機５が接続されている。また制御部２には、筐体内上段の料金案内表示器６、通行券処理ユニット７、プリペイドカード処理ユニット８１、クレジットカード処理ユニット８２、紙幣処理ユニット９、及び領収書発行機１０と、筐体内下段の料金案内表示器６、通行券処理ユニット７、プリペイドカード処理ユニット８１、クレジットカード処理ユニット８２、紙幣処理ユニット９、及び領収書発行機１０と、硬貨選別機１１及び偽貨返却機構２５が接続されている。さらに制御部２には、料金所の事務所内に設置された上位システム１２及び監視盤１３と、料金所内の出口車線に設置された車種判別装置１４、車両検知器１５、及び発進制御機１６が接続されている。前面パネルユニット３には音声案内スピーカ１０１が接続されている。
【００１７】
料金自動収受装置１は、有料道路出口の料金所内の車線アイランド上に設置され、図２に示す各機器を内蔵している。制御部２は、料金自動収受装置１内の機器の全体制御、及び外部接続機器との通信を行う。前面パネルユニット３は、筐体前面に取付けられた扉の内側に設けられている。前面パネルユニット３は、筐体前面の操作部１，１に設けられた後述する通行券挿入口、クレジットカード挿入口、プリペイドカード挿入口、紙幣挿入口、及び釣銭払出口の各シャッタと硬貨投入口の制御と、領収書発行釦の入力受付け、及び音声案内スピーカ１０１からの音声案内を行う。
【００１８】
操作パネル４は、筐体内に設けられ、収受員による勤務の入／切、各機器の異常状態の監視（表示）、収受員による特別処理（車種変更、割引他）の入力受付等を行う。硬貨払出機５は、筐体上部に設置されている。硬貨払出機５は、各金種別（１０円、５０円、１００円、５００円）に準備金を蓄えるホッパが設けられ、制御部２からの指令に応じて、指定金額を釣銭として払い出す動作、または収受員の勤務終了時等に硬貨金庫へ準備金を回収する動作を行う。料金案内表示器６は、後述する上下各段の前面パネルに設けられ、通行料金、投入金額、おつり、利用案内等を表示する。
【００１９】
通行券処理ユニット７は、上下各段に設置され、利用者が有料道路入口の料金所にて受け取り、通行券挿入口から挿入した通行券を読み取る。通行券処理ユニット７が読み取ったデータは制御部２へ通知される。通行料金は制御部２にて決定される。通行券処理ユニット７は、利用者による支払い等が終了した際、支払方法等の出口データを前記通行券へ磁気記録及び印書し、前記通行券を収納する。
【００２０】
クレジットカード処理ユニット８２は、上下段に設置され、利用者によりクレジットカード挿入口から挿入されたクレジットカード、ＥＴＣカード等を処理し、プリペイドカード処理ユニット８１は、挿入されたハイウェイカード等のプリペイドカードを処理し、そのカードから読み取ったデータを制御部２へ通知する。制御部２は、データの整合確認等を行う。
【００２１】
紙幣処理ユニット９は、上下各段に設置され、利用者により紙幣挿入口から挿入された紙幣を識別・計数し、制御部２へ通知するとともに、受け入れた紙幣を収納する。また紙幣処理ユニット９は、制御部２からの指令に応じて、釣りとして紙幣を払い出す等の機能を有する。
【００２２】
領収書発行機１０は、上下各段に設置され、領収書を発行（印書＋カット）する機能を有する。前面パネルユニット３に設けられた所定の釦が利用者により押され、その旨が前面パネルユニット３から制御部２へ通知されると、制御部２は印書内容を含めた発行指令を領収書発行機１０へ通知する。領収書発行機１０は、この通知に応じて領収書を発行する。
【００２３】
硬貨選別機１１は、硬貨の真偽判別、及び計数を行う。硬貨選別機１１は、制御部２からの指令に応じて動作を開始し、利用者により硬貨投入口から一括投入された硬貨を１枚づつ判別センサへ送り出し、真偽判別・金種判別を行う。偽貨と判別された硬貨は、偽貨返却機構２５を介して偽貨返却口１０２から返却される。
【００２４】
上位システム１２は、料金所の事務所内に設置され、料金自動収受装置１から通知される収受データの受信、料金自動収受装置１の運用に必要な設定データの送信を行う。監視盤１３は、料金所の事務所内に設置され、収受員による勤務の入／切、各ユニットの異常状態の監視（表示）、収受員による特別処理（車種変更、割引他）の入力受付等を行う。また監視盤１３は、車線アイランドに設けられた監視カメラの映像を映すモニタも併せ持つ。
【００２５】
車種判別装置１４は、料金所内の出口車線の進入側に設置され、進入した車両の車種を判別する。その判別結果は、車種判別装置１４から料金自動収受装置１へ通知される。車両検知器１５は、料金所内の出口車線の発進側に設置され、発進した車両を検知し、料金自動収受装置１へ通知する。発進制御機１６は、料金所内の出口車線の発進側に設置され、料金自動収受装置１の指令に応じて阻止捧を開／閉する。
【００２６】
図３は、上記料金自動収受装置の各操作部１，１における前面パネルのレイアウトを示す図である。前面パネル２００には、中央部の発進側に紙幣挿入口２０１が、中央部の進入側に通行券挿入口２０２が設けられている。紙幣挿入口２０１の下方には硬貨投入口２０３が、通行券挿入口２０２の下方には証明書挿入口２０４が設けられている。紙幣挿入口２０１の発進側には釣銭払出口２０５が、硬貨投入口２０３の発進側には領収書発行釦２０６と領収書発行口２０７が設けられている。通行券挿入口２０２の進入側には、インターフォン子機２０８とクレジットカード挿入口２０９が設けられている。通行券挿入口２０２の上方には、ＬＣＤからなる料金案内表示器６が設けられている。クレジットカード挿入口２０９の上方には、係員呼び出しレバー２１０が設けられている。証明書挿入口２０４の進入側には、係員呼び出しレバー２１１とプリペイドカード挿入口２１２が設けられている。
【００２７】
以上のように構成された料金自動収受装置は、有料道路の通行料金を利用者の支払い動作に応じて自動的に徴収する通行券処理機能を備え、通行券の読み取りを可能とし、対距離（対区間）料金収受システムの有料道路への適用を可能としている。
【００２８】
図４，図５は、上記料金自動収受装置の動作手順を示すフローチャートである。以下、図４，図５に沿い、上記料金自動収受装置の動作を説明する。
【００２９】
料金所内の出口車線に車両が進入すると、ステップＳ１で、車種判別装置１４は該車両を検知し、車種を判定して制御部２へ通知する。ステップＳ２で、制御部２は、通知された車種の情報をもとに該車両の運転席の高さに合う操作部１（上段または下段）を選択する。そして制御部２は、選択した操作部１の前面パネルユニット３へ、通行券挿入口２０２のシャッタとカード挿入口２０９，２１２のシャッタの開指令を通知する。これにより、前面パネルユニット３の制御により、通行券挿入口２０２とカード挿入口２０９，２１２の図示しない各ランプが点灯し、通行券挿入口２０２のシャッタとカード挿入口２０９，２１２のシャッタが開かれる。このような制御部２の制御により、上段または下段の操作部１が作動する。
【００３０】
次にステップＳ３で、制御部２は、前面パネルユニット３へ所定の音声案内をするよう通知し、料金案内表示器６へ所定のメッセージを表示するよう通知する。これにより、音声案内スピーカ１０１から、「通行券、またはＥＴＣカードを、お入れください。」という音声案内が発生され、料金案内表示器６にその旨のメッセージが表示される。
【００３１】
ステップＳ４で、身体障害割引または強制流出割引がある場合、収受員は、出口車線上で利用者が提示する割引証明書を確認の上、操作パネル４にて割引操作をする。これにより、ステップＳ５で、割引がある旨が操作パネル４から制御部２へ通知される。また、利用者に割引証明書を図示しない証明書箱へ挿入させる場合は、収受員による操作パネル４または監視盤１３の操作が制御部２へ通知される。そして、制御部２から前面パネルユニット３へ、証明書挿入口２０４の扉のロックを解除する指令が通知され、前面パネルユニット３の制御により、証明書挿入口２０４の扉のロックが解除される。
【００３２】
次に、ステップＳ６で、利用者が通行券を通行券挿入口２０２に挿入すると、その通行券に記録されている入口データ（入口インターチェンジ（ＩＣ）番号、車種等）が、通行券処理ユニット７にて読み取られ制御部２へ通知される。ステップＳ７で、制御部２は、あらかじめ上位システム１２から送信されて記憶している料金表と前記入口データをもとに、当該車両の通行料金を判定する。ステップＳ８で、制御部２は、上記ステップＳ１で車種判別装置１４から得た車種と、上記ステップＳ６で通行券処理ユニット７から得た前記入口データ中の車種とを照合する。
【００３３】
この照合の結果、ステップＳ９で、一致すれば、ステップＳ１１の処理へ進む。不一致の場合、ステップＳ１０で、制御部２は監視盤１３と操作パネル４に通知し、収受員の操作を受付ける。このように、通行券に記録された車種と車種判別の結果とが一致しない場合、監視盤１３では、収受員に通行券の確認を促す画面表示とブザーの出力がなされる。そして収受員は、当該車両の車種を目視で確認し、監視盤１３の車種設定釦を押圧する。
【００３４】
次にステップＳ１１で、制御部２は、料金案内表示器６へ通行料金のデータを通知し通行料金と案内メッセージを表示させるとともに、前面パネルユニット３へ音声案内を発生するよう指示する。これにより、料金案内表示器６に通行料金と案内メッセージが表示され、音声案内スピーカ１０１から「通行料金は○○円です。乗り継ぎ証ある方は…」等の音声案内が出力される。
【００３５】
続いてステップＳ１２で、制御部２は前面パネルユニット３へ、硬貨投入口２０３と、紙幣挿入口２０１、プリペイドカード挿入口２１２、及びクレジットカード挿入口２０９の各シャッタを開くよう指示する。これにより、前面パネルユニット３の制御により、硬貨投入口２０３と前記各シャッタが開かれる。そして、制御部２は硬貨選別機１１を稼働させ、紙幣処理ユニット９とプリペイドカード処理ユニット８１とクレジットカード処理ユニット８２を挿入待ち状態とする。
【００３６】
上記ステップＳ１１〜Ｓ１２の期間中においても、上記ステップＳ５と同様の割引処理と、上記ステップＳ１０と同様の車種変更処理が、必要時に受付けられる。身体障害割引または強制流出割引がある場合、収受員は、出口車線上で利用者が提示する割引証明書を確認の上、操作パネル４にて割引操作をする。また、車種変更がある場合、収受員は、当該車両の車種を目視確認し、監視盤１３の車種設定釦を押圧する。
【００３７】
ステップＳ１３で、利用者により現金で支払い処理がなされる場合、ステップＳ１４で、硬貨投入口２０３と紙幣挿入口２０１から支払われた現金が、それぞれ硬貨選別機１１と紙幣処理ユニット９で真偽判別された後、計数され、その結果が制御部２へ通知される。このとき、硬貨は硬貨選別機１１へ、紙幣は紙幣ユニット９へ受入れられ、判別・計数中は一次保留される。そして制御部２は、投入料金≧通行料金になると、受領確定と認識する。
【００３８】
上記ステップＳ１３で、利用者によりプリペイドカードで支払い処理がなされる場合、ステップＳ１５で、プリペイドカード処理ユニット８１は挿入されたプリペイドカードのデータを読取り、制御部２へ通知する。制御部２からの指令に応じて、プリペイドカード処理ユニット８１はプリペイドカードから金額データの引き去りを行う。このプリペイドカードの引き去りは、カード挿入後に即行われ、例えば、残額＜通行料金でも、即引き去りが行われる。この場合、２枚掛けや上乗せも、利用者が挿入することにより受付けられる。
【００３９】
上記ステップＳ１３で、利用者によりクレジットカード、ＥＴＣカード等で支払い処理がなされる場合、ステップＳ１６で、クレジットカード処理ユニット８２は挿入されたカードのデータを読取る。そのデータは、制御部２を経由して、上位システム１２へ通知され、確認が行われる。上位システム１２で確認が行われると、通行料金の受領が確定し、制御部２の制御によりクレジットカード処理ユニット８２からカードが排出される。
【００４０】
また上記ステップＳ１３で、Ｕターン、船車券、緊急車、未納等、収受員の対応が必要な場合、ステップＳ１７で、収受員が出口車線へ出向き、操作パネル４にて操作を行い発進制御機１６を開き、当該車両を事務所へ誘導して事務所処理を行う。
【００４１】
次に制御部２は、通行料金の受領が確定したと認識すると、ステップＳ１８で、硬貨選別機１１を停止し、プリペイドカード処理ユニット８１とクレジットカード処理ユニット８２と紙幣処理ユニット９にて挿入を受付けない状態とする。そして制御部２は、前面パネルユニット３へ、硬貨投入口２０３と、紙幣挿入口２０１、プリペイドカード挿入口２１２、及びクレジットカード挿入口２０９の各シャッタを閉じるよう指示する。これにより、硬貨、紙幣、カードは受付け不可となる。また制御部２は、料金案内表示器６へ案内メッセージを表示させるとともに、前面パネルユニット３へ音声案内を発生するよう指示する。これにより、料金案内表示器６に案内メッセージが表示され、音声案内スピーカ１０１から「ありがとうございました」等の音声案内が出力される。さらに、制御部２が発進制御機１６へ開指令を通知することで、発進制御機１６が開き、当該車両は発進可能となる。
【００４２】
またステップＳ１９で、釣りがある場合、ステップＳ２０で、制御部２は硬貨払出機５と紙幣処理ユニット９へ、それぞれ該当する硬貨と紙幣の払出枚数及び払出指令を通知する。ステップＳ２１で、制御部２は前面パネルユニット３へ、釣銭払出口２０５のシャッタを開くよう指示する。これにより、釣銭払出口２０５から余剰投入金が返却される。
【００４３】
ステップＳ２２で、利用者により領収書発行釦２０６が押されると（ＯＮ）、ステップＳ２３で、前面パネルユニット３は領収書発行釦２０６が押されたことを制御部２へ通知する。ステップＳ２４で、制御部２は、領収書発行機１０に対し印書内容と発行指令を通知する。これにより、領収書発行機１０は領収書を発行する。
【００４４】
次にステップＳ２５で、車両検知器１５は車両の発進を検知すると、制御部２へ通知する。ステップＳ２６で、制御部２は発進制御機１６を閉じる。そしてステップＳ２７で、制御部２は硬貨選別機１１へ、一時保留した硬貨を硬貨金庫へ収納するように通知する。これにより、現金が納庫される。
【００４５】
図６は、前面パネルに設けられた料金案内表示器６における表示例を示す図である。図６の（ａ），（ｂ）は、料金案内表示器６のレイアウトを示す図である。料金案内表示器６は、大型の液晶表示器からなり、料金表示部６１とメッセージ・イメージ表示部６２を有している。料金表示部６１には、通行料金、投入金額、おつりが表示される。料金表示部６１は、収受員の勤務中は常に表示をしている。メッセージ・イメージ表示部６２には、音声アナウンスに連動した案内メッセージ、またはメッセージや音声を補助する図が表示される。
【００４６】
以上のように、有料道路の通行料金を自動的に徴収する料金自動収受装置の前面に大型液晶表示器を設けることにより、通行料金、投入料金、おつり、利用案内文字、案内図を表示し、利用者の操作性を向上することができる。なお、従来の装置では、通行料金表示器、投入料金表示器に、例えば各々４桁固定の７セグＬＥＤを設けており、利用案内は音声のみであるため、料金所内の車両の騒音で案内が聞こえない、耳が不自由な方に対する配慮が無い、案内が流れた後だと聞き逃した場合に分らない、等の問題が有った。これに対して本実施の形態では、大型液晶表示器を使用することで、料金変更（桁が増える場合など）にも容易に対応可能であり、利用案内についても音声だけでなく、文字表示、グラフィック、スクロール表示等の対応が可能である。また、液晶表示器に半透過型液晶表示器を用いた場合は、屋外において、太陽光等が入射する環境下でも見易さを実現することができる。
【００４７】
図７は、硬貨投入口２０３の構成を示す斜視図である。硬貨投入口２０３は、各操作部１００，１００における前面パネル２００に設けられており、下辺部を支点として回動する。図７では、硬貨投入口２０３が前方へ回動して開いた状態を示している。
【００４８】
図８，図９は、硬貨投入口２０３の構成を示す側面図であり、図８は硬貨入口２０３が閉じた状態、図９は開いた状態を示している。料金自動収受装置１の筐体３０１内には、硬貨収集用のホッパー３１が、軸３２により回動可能に装着されている。硬貨収集用のホッパー３１には蓋部３３が取り付けられており、この蓋部３３は筐体３０１の外側に配置されている。ホッパー３１にはリミットスイッチ３４が設けられている、このリミットスイッチ３４は、ホッパー３１の回動状態を検知する。ホッパー３１の下端部には、フラッパ３５が回動可能に軸支されている。フラッパ３５の先端部は、筐体３０１内に備えられた投入シュート３０２上端の開口部に保持されている。
【００４９】
図８のように硬貨投入口２０３が閉じた状態で、制御部２が前面パネルユニット３へ硬貨投入口２０３を開くよう指示すると、前面パネルユニット３は図示しないモータを駆動する。このモータが軸３２を正方向へ回転させることにより、ホッパー３１が回動し、蓋部３３が前方下方へ押し出される。そして、リミットスイッチ３４がホッパー３１の開状態を検知すると、制御部２は前記モータを停止する。これにより図９のように硬貨投入口２０３が開いた状態となる。このようなホッパー３１の動作中、フラッパ３５の先端部は投入シュート３０２上端に保持されており、ホッパー３１の下端部の回動に応じて回動する。
【００５０】
この状態で、利用者が硬貨をホッパー３１に投入すると、硬貨はホッパー３１からフラッパ３５を介して投入シュート３０２へ滑り落ち、投入シュート３０２を辿って硬貨選別機１１に至る。
【００５１】
図９のように硬貨投入口２０３が開いた状態で、制御部２が前面パネルユニット３へ硬貨投入口２０３を閉じるよう指示すると、前面パネルユニット３は図示しないモータを駆動する。このモータが軸３２を逆方向へ回転させることにより、ホッパー３１が回動し、蓋部３３が後方上方へ戻される。そして、リミットスイッチ３４がホッパー３１の閉状態を検知すると、制御部２は前記モータを停止する。これにより図８のように硬貨投入口２０３が閉じた状態となる。このようなホッパー３１の動作中、フラッパ３５の先端部は投入シュート３０２上端に保持されており、ホッパー３１の下端部の回動に応じて回動する。
【００５２】
以上のように、有料道路の通行料金を自動的に徴収する料金自動収受装置の前面に、下辺を支点に前方へ回動して開く一括投入式の硬貨投入口を設けることにより、利用者の視認性、操作性が向上する。
【００５３】
なお、従来の装置では、大型のバスケット型等からなる投入口を用いている。この場合、投入口が大型であるため、装置前面に設置すると、利用者側へ張り出し危険であり（建築限界を超える）、側面へ配置すると、装置正面に停車した利用者に気付かれ難いという問題がある。
【００５４】
また、従来の装置で前面に開口部を設け硬貨投入口とする場合、利用者が停止する装置中央部付近に硬貨投入口を設置可能となるが、常時開いており、利用者が通行券等を挿入する可能性も有り、前面から出てこないので操作性面でも本実施の形態より劣る。
【００５５】
これらに対して本実施の形態では、利用者が硬貨を投入可能なタイミングでのみ硬貨投入口が開くので、利用者が誤って通行券等を入れることを防ぐことができる。さらに、硬貨投入口は通常時に閉じているため、装置内への埃等の進入を防ぐことができる。また、ホッパー３１とシュート部に可動式接続部を設けることで、ホッパー３１の回動途中の段階に硬貨投入がなされた際も、確実に収受できる。
【００５６】
図１０は、証明書挿入口２０４の構成を示す図であり、（ａ）は正面図、（ｂ）は側面図である。証明書挿入口２０４は、各操作部１００，１００における前面パネル２００に設けられており、遠隔操作可能なロック（錠）機構を設けている。前面パネル２００には、扉４１がヒンジ部４２により回動可能に装着されている。扉４１には、突起部材４３が設けられている。さらに、前面パネル２００の内側にロック機構４４が設けられている。ロック機構４４はソレノイド４４１とピン４４２からなり、前面パネルユニット３により制御される。
【００５７】
図１０の（ｂ）に示すように、証明書挿入口２０４が閉じた状態では、ロック機構４４においてソレノイド４４１は、内部スプリングにてピン４４２を突出させている。このピン４４２により突起部材４３が係止されるため、扉４１を前面パネル２００の内側に押し開くことはできない。制御部２が前面パネルユニット３へ証明書挿入口２０４を開くよう指示すると、前面パネルユニット３はロック機構を解除する。これにより、ソレノイド４４１が励磁されピン４４２が引き込まれ、扉４１を前面パネル２００の内側に押し開くことが可能になる。
【００５８】
以上のように、有料道路の通行料金を自動的に徴収する料金自動収受装置の前面に、遠隔操作可能なロック機構を設けた証明書挿入口を備えたことにより、利用者が通行券、現金等を誤って挿入することを防ぐことができる。なお、遠隔操作とは、料金自動収受装置（車線）から離れた料金所事務所内に設置された監視盤、または料金自動収受装置に設置された操作パネルを操作することにより、ロック機構の開錠操作を行うことを指す。
【００５９】
従来では、フラッパ式の証明書挿入口に、常時、証明書（利用料金の割引証等）を挿入することができた。証明書が挿入される際にフラッパが押し開かれたことをスイッチが検知し、監視盤に通知が行われ、収受員が割引処理を行っていた。この場合、当該利用者の証明書に不正が無いかを確認するために、収受員が料金収受装置内の証明書箱を調べても、挿入されている証明書が当該利用者のものか過去の利用者のものかは判別できない。
【００６０】
これに対して本実施の形態では、収受員が当該利用者の証明書の不正の有無を確認する場合に、ロック機構を開錠せず、利用者に証明書を挿入させずに手渡しで受け取り、確認することが可能になる。すなわち、従来のように証明書を常時受け付けた場合に証明書箱内で証明書が混合収納され、当該利用者が挿入した証明書を特定できず、不正の有無を確認できないという問題を未然に防ぐことができる。
【００６１】
図１１は、偽貨返却機構２５の構成を示す側面図である。偽貨返却機構２５は、筐体３０１内底部の偽貨返却口１０２付近に位置し、硬貨搬送機構を備えている。この硬貨搬送機構では、回転可能に設けられた二つの回転部材５１，５２にベルト５３が掛け渡されている。一方の回転部材５１は筐体３０１の奥行き側に位置し、その中心に図示しないモータの回転軸５４が取付けられている。他方の回転部材５２は、その半分が偽貨返却口１０２内に位置している。
【００６２】
ベルト５３の上方には、硬貨選別機１１から通ずる硬貨投入ホッパ５５が配置され、この硬貨投入ホッパ５５に飛び出し防止カバー５６が覆われている。また、偽貨返却口１０２付近のベルト５３上方には、三角柱状の硬貨起立防止部材５７が、その尖部を筐体３０１の奥行き側に向けて設けられている。また、他方の回転部材５２の近傍に、停止検知センサ５８が設けられている。さらに、偽貨返却口１０２内には、ベルト５３の端部を覆うように、利用者用の指詰め防止カバー５９が設けられている。
【００６３】
制御部２の制御により上記モータが駆動されると、回転軸５４が回転し、回転部材５１が回転する。そして、ベルト５３が回転部材５１と回転部材５２の回転に沿い、偽貨返却口１０２方向に回転する。硬貨選別機１１で偽貨と判別された硬貨５０は、硬貨投入ホッパ５５からベルト５３上に落とされる。このとき、飛び出し防止カバー５６により、硬貨投入ホッパ５５から上方への硬貨の飛び出しが防止される。硬貨５０は、ベルト５３により偽貨返却口１０２に向けほぼ水平方向に搬送される。ベルト５３上で起立している硬貨は、硬貨起立防止部材５７に衝突することにより倒される。このようにベルト５３上で倒れた状態にある各硬貨５０は、ベルト５３の端部から偽貨返却口１０２内に落とされる。
【００６４】
停止検知センサ５８は、回転部材５２の回転状態を検出しており、硬貨詰まりにより回転部材５２の回転が止まった場合、制御部２に通知する。この場合、制御部２は上記モータを停止する。指詰め防止カバー５９は、利用者が偽貨返却口１０２内の硬貨を取り出す際に、指がベルト５３等に接触することを防止する。
【００６５】
以上のように、有料道路の通行料金を自動的に徴収する料金自動収受装置の偽貨返却機構に、硬貨をほぼ水平方向に搬送する硬貨搬送機構を設けることにより、硬貨選別機の偽貨排出口から、料金自動収受装置の前面の偽貨返却口までの高低差を小さくすることができる。
【００６６】
従来では、硬貨選別機の偽貨排出口から料金自動収受装置の前面の偽貨返却口まで、傾斜を有するシュートを設け、そのシュート内に偽貨を滑らせていた。この場合、シュートには硬貨が自重で滑り落ちるための角度が必要なため、硬貨選別機の設置位置や硬貨投入口の高さに設計上の制約が大きかった。
【００６７】
これに対して本実施の形態では、硬貨投入口の位置を低くすることができ、利用者による車両に乗った状態での操作性が改善される。
【００６８】
なお、本発明は上記実施の形態のみに限定されず、要旨を変更しない範囲で適宜変形して実施できる。
【００６９】
【発明の効果】
本発明の料金自動収受装置によれば、通行距離に対応した通行料金の収受を自動的に行うことができる。
【００７０】
本発明の料金自動収受装置によれば、通行料金、投入料金、おつり、利用案内文字、案内図を表示し、利用者の操作性を向上することができる。
【００７１】
本発明の料金自動収受装置によれば、硬貨投入口に対する利用者の視認性、操作性が向上する。
【００７２】
本発明の料金自動収受装置によれば、利用者が証明書挿入口へ通行券、現金等を誤って挿入することを防ぐことができる。
【００７３】
本発明の料金自動収受装置によれば、硬貨投入口の位置を低くすることができ、利用者による車両に乗った状態での操作性が改善される。
【図面の簡単な説明】
【図１】本発明の実施の形態に係る料金自動収受装置の構成を示す正面図。
【図２】本発明の実施の形態に係る料金自動収受装置の構成を示すブロック図。
【図３】本発明の実施の形態に係る料金自動収受装置の各操作部における前面パネルのレイアウトを示す図。
【図４】本発明の実施の形態に係る料金自動収受装置の動作手順を示すフローチャート。
【図５】本発明の実施の形態に係る料金自動収受装置の動作手順を示すフローチャート。
【図６】本発明の実施の形態に係る料金案内表示器における表示例を示す図。
【図７】本発明の実施の形態に係る硬貨投入口の構成を示す斜視図。
【図８】本発明の実施の形態に係る硬貨投入口の構成を示す側面図。
【図９】本発明の実施の形態に係る硬貨投入口の構成を示す側面図。
【図１０】本発明の実施の形態に係る証明書挿入口の構成を示す図。
【図１１】本発明の実施の形態に係る偽貨返却機構の構成を示す側面図。
【符号の説明】
１…料金自動収受装置
２…制御部
３…前面パネルユニット
４…操作パネル
５…硬貨払出機
６…料金案内表示器
７…通行券処理ユニット
８１…プリペイドカード処理ユニット
８２…クレジットカード処理ユニット
９…紙幣処理ユニット
１０…領収書発行機
１１…硬貨選別機
１２…上位システム
１３…監視盤
１４…車種判別装置
１５…車両検知器
１６…発進制御機
２５…偽貨返却機構
３１…ホッパー
３２…軸
３３…蓋部
３４…リミットスイッチ
３５…フラッパ
４１…扉
４２…ヒンジ部
４３…突起部材
４４…ロック機構
４４１…ソレノイド
４４２…ピン
５１，５２…回転部材
５３…ベルト
５４…回転軸
５５…硬貨投入ホッパ
５６…飛び出し防止カバー
５７…硬貨起立防止部材
５８…停止検知センサ
５９…指詰め防止カバー
６１…料金表示部
６２…メッセージ・イメージ表示部
１００…操作部
１０１…音声案内スピーカ
１０２…偽貨返却口
２００…前面パネル
２０１…紙幣挿入口
２０２…通行券挿入口
２０３…硬貨投入口
２０４…証明書挿入口
２０５…釣銭払出口
２０６…領収書発行釦
２０７…領収書発行口
２０８…インターフォン子機
２０９…クレジットカード挿入口
２１０…係員呼び出しレバー
２１１…係員呼び出しレバー
２１２…プリペイドカード挿入口
３０１…筐体
３０２…投入シュート
【図１】
2004005151.tif 000003
【図２】
2004005151.tif 000004
【図３】
2004005151.tif 000005
【図４】
2004005151.tif 000006
【図５】
2004005151.tif 000007
【図６】
2004005151.tif 000008
【図７】
2004005151.tif 000009
【図８】
2004005151.tif 000010
【図９】
2004005151.tif 000011
【図１０】
2004005151.tif 000012
【図１１】
2004005151.tif 000013